(57)【要約】【課題】遊技球の球詰まりを容易に解除する。【解決手段】遊技盤の前面側に設けられた壁部３００よりも遊技盤側には大入賞口３０８が設けられている。大入賞口３０８は、鉛直上方に向けて開口する開口部を備える穴であり、開閉部材３１２により開閉される。壁部３００には、開閉部材３１２の前方に配置された貫通孔３０２ａと、開閉部材３１２よりも上方であって、遊技球の流下方向において、貫通孔３０２ａより上流側に配置される第２の貫通孔３０２ｂとが形成されている。【選択図】図６
2018175259.tif 000002
【特許請求の範囲】
【請求項１】
遊技球が流下する遊技領域が前面側に形成された遊技盤と、
前記遊技盤の前面側に設けられた壁部と、
前記壁部よりも前記遊技盤側に開口部が設けられた入賞口と、
前記入賞口の前記開口部を開閉する開閉部材と、
前記壁部に形成された貫通孔と、
を備えたことを特徴とする遊技機。
【請求項２】
前記貫通孔は、
前記開閉部材の前方に配置されたことを特徴とする請求項１に記載の遊技機。
【請求項３】
前記入賞口の幅方向の一端側に配置され、前記入賞口に入球した遊技球を検知する検出手段を備え、
前記貫通孔は、
前記入賞口の幅方向の他端側に配置されたことを特徴とする請求項１または２に記載の遊技機。
【請求項４】
前記壁部は、
前記開閉部材よりも上方であって、遊技球の流下方向において、前記貫通孔より上流側に配置された第２の貫通孔を更に備えたことを特徴とする請求項１から３のいずれか１項に記載の遊技機。
【発明の詳細な説明】
【技術分野】
【０００１】
本発明は、入賞口の開口部を開閉する開閉部材を備える遊技機に関する。
【背景技術】
【０００２】
従来、始動口に遊技球が入球したことを条件として大役抽選が行われ、大役抽選により大当たりに当選すると、大役遊技が実行される遊技機が知られている。また、例えば特許文献１に示されるように、遊技盤の前方に、遊技盤を装飾する装飾板を備えた遊技機が知られている。
【先行技術文献】
【特許文献】
【０００３】
【特許文献１】特許第５６２６１５６号公報
【発明の概要】
【発明が解決しようとする課題】
【０００４】
上記のような装飾板が、開閉部材によって開閉制御される入賞口の前方に設けられた場合、発生した球詰まりを解除することが困難となるという課題がある。
【０００５】
本発明は、遊技球の球詰まりを容易に解除することができる遊技機を提供することを目的とする。
【課題を解決するための手段】
【０００６】
上記課題を解決するために、本発明の遊技機は、遊技球が流下する遊技領域が前面側に形成された遊技盤と、前記遊技盤の前面側に設けられた壁部と、前記壁部よりも前記遊技盤側に開口部が設けられた入賞口と、前記入賞口の前記開口部を開閉する開閉部材と、前記壁部に形成された貫通孔と、を備える。
【０００７】
また、前記貫通孔は、前記開閉部材の前方に配置されるとよい。
【０００８】
また、前記入賞口の幅方向の一端側に配置され、前記入賞口に入球した遊技球を検知する検出手段を備え、前記貫通孔は、前記入賞口の幅方向の他端側に配置されるとよい。
【０００９】
また、前記壁部は、前記開閉部材よりも上方であって、遊技球の流下方向において、前記貫通孔より上流側に配置された第２の貫通孔を更に備えるとよい。
【発明の効果】
【００１０】
本発明の遊技機によれば、遊技球の球詰まりを容易に解除することができる。
【図面の簡単な説明】
【００１１】
【図１】扉が開放された状態を示す遊技機の斜視図である。
【図２】遊技機の正面図である。
【図３】壁部を説明する斜視図である。
【図４】開閉部材の閉状態における、図３のＡ−Ａ断面図である。
【図５】開閉部材の開状態における、図３のＡ−Ａ断面図である。
【図６】大入賞口における球詰まりを説明する図である。
【図７】大入賞口における球詰まりの解除を説明する図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６とを備えている。
【００１４】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１５】
図２は、遊技機１００の正面図である。なお、この図２においては、一部の部材が取り外された状態を示している。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して遊技領域１１６に導かれることとなる。
【００１６】
遊技領域１１６は、遊技盤１０８の前面側１０８ａに形成される空間であって、遊技球が流下または転動可能な領域である。遊技盤１０８には、多数の釘や風車が設けられており、遊技領域１１６に導かれた遊技球が釘や風車に衝突して、不規則な方向に流下、転動するようにしている。
【００１７】
遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ、１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００１８】
また、遊技領域１１６には、遊技球が入球可能な一般入賞口１１８、第１始動口１２０が設けられている。また、第２遊技領域１１６ｂには、不図示の第２始動口が設けられている。これら一般入賞口１１８、第１始動口１２０、第２始動口に遊技球が入球すると、それぞれ所定の賞球が遊技者に払い出される。なお、賞球数は１個以上であれば何個でもよく、また、一般入賞口１１８、第１始動口１２０、第２始動口のそれぞれで払い出す賞球数を異ならせてもよいし、同じ賞球数に設定してもよい。このとき、第１始動口１２０に遊技球が入球して払い出す賞球数を、第２始動口に遊技球が入球して払い出す賞球数よりも少なく設定することも可能である。
【００１９】
なお、詳しい説明は省略するが、第１始動口１２０内には第１始動領域が設けられ、また、第２始動口内には第２始動領域が設けられている。そして、第１始動口１２０または第２始動口に遊技球が入球して第１始動領域または第２始動領域に遊技球が進入すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口に遊技球が入球すると、所定の賞球を獲得するのと同時に、種々の遊技利益を受ける権利獲得の機会を獲得することとなる。
【００２０】
この抽選で大当たりに当選すると大役遊技が実行される。大役遊技は、複数回のラウンド遊技で構成されており、各ラウンド遊技中は、大入賞口が開放される。ここで、遊技盤１０８の前面側１０８ａに設けられた壁部３００よりも遊技盤１０８側に、図４に示すように、大入賞口３０８が設けられている。
【００２１】
そして、大入賞口３０８には、開閉部材３１２（図４参照）が開閉可能に設けられており、通常、開閉部材３１２が大入賞口３０８を閉鎖して（閉状態にして）、大入賞口３０８への遊技球の入球が不可能となっている。これに対して、大役遊技が実行されると、開閉部材３１２が開放されて（開状態にされて）、大入賞口３０８への遊技球の入球が可能となる。そして、大入賞口３０８に遊技球が入球すると、所定の賞球が遊技者に払い出される。また、図２に示すように、壁部３００には、貫通孔３０２ａおよび第２の貫通孔３０２ｂが形成されている。
【００２２】
ここで、各ラウンド遊技は、その開始から所定時間が経過するか、もしくは、予め設定された上限数の遊技球が大入賞口に入球すると終了する。大入賞口に遊技球が入球すると、所定数の賞球が遊技者に払い出されることから、大役遊技の実行により、遊技者は多量の賞球を獲得することができる。なお、遊技領域１１６の最下部には排出口１３０が設けられており、一般入賞口１１８、第１始動口１２０、第２始動口、大入賞口３０８のいずれにも入球しなかった遊技球は、排出口１３０から遊技盤１０８の背面側に排出される。
【００２３】
図３は、壁部３００を説明する斜視図である。貫通孔３０２ａおよび第２の貫通孔３０２ｂを有する壁部３００は、ベース部３０４との間に形成される間隙を遊技球が通過可能となるように、ベース部３０４に対して、遊技球の直径以上に離隔して取り付けられている。ベース部３０４の周囲には、ビス孔３０６が形成されており、このビス孔３０６が遊技盤１０８にビス止めされることで、ベース部３０４が遊技盤１０８に固定される。
【００２４】
また、上記図２、図３および後述の図７では、説明の都合上、壁部３００を不透明で示しているが、壁部３００は実際には透過性を有しており、後述するような、壁部３００と遊技盤１０８との間における遊技球の転動、流下を遊技者が視認可能となっている。
【００２５】
図４は、開閉部材３１２の閉状態における、図３のＡ−Ａ断面図である。また、図５は、開閉部材３１２の開状態における、図３のＡ−Ａ断面図である。図４に示すように、壁部３００より遊技盤１０８側には、大入賞口３０８が設けられている。大入賞口３０８は、鉛直上方に向けて開口する開口部３１０を備える穴であり、開閉部材３１２により開閉される。
【００２６】
開閉部材３１２は、不図示のアクチュエータ（ソレノイド）により、ベース部３０４に形成された孔から、開閉部材ガイド部３１２ａ、３１２ｂに案内されて、遊技機１００の前後方向（正面背面方向）に出没する。通常はアクチュエータが未通電状態に維持されており、開閉部材３１２は、不図示のばね等からなる付勢部材により、ベース部３０４の孔よりも正面側に突出した位置に保持され、大入賞口３０８を閉鎖している。
【００２７】
このように、開閉部材３１２によって大入賞口３０８が閉鎖された状態では、矢印４００ａの方向に沿って傾斜面３１４ａ上に流下した遊技球は、傾斜面３１４ｃ、傾斜面３１４ｂ、開閉部材３１２の上を矢印４００ｂの方向に向けて転動し、その後、矢印４００ｃの方向に向けて流下することになる。傾斜面３１４ｂは、傾斜面３１４ａの下方に階段状に配置され、この傾斜面３１４ａと傾斜面３１４ｂとを傾斜面３１４ｃが接続している。
【００２８】
これに対して、ラウンド遊技中、アクチュエータが通電されると、図５に示すように、開閉部材３１２は、ベース部３０４の孔よりも背面側に没入した位置に保持され、大入賞口３０８が開放される。このように、大入賞口３０８が開放された状態では、矢印４００ａの方向に沿って傾斜面３１４ａ上に流下した遊技球は、矢印４００ｄの方向に向けて転動し、開口部３１０から大入賞口３０８に入球する。
【００２９】
そして、大入賞口３０８に入球した遊技球は、誘導面３１６上を矢印４００ｅの方向に向けて転動し、検出部３２０のセンサ３２０ａ（図６参照）で検知された後に、遊技盤１０８の背面側に排出されることとなる。
【００３０】
図６は、大入賞口３０８における球詰まりを説明する正面図である。上記のように、開閉部材３１２が開状態（図５の状態）から閉状態（図４の状態）へ動作する際に、開閉部材３１２と壁部３００との間に挟まれてしまった遊技球によって後続する遊技球が溜まり、球詰まりが生じる場合がある。
【００３１】
例えば、図６に示すように、誘導面３１６上でバウンドした遊技球４０１ａが開閉部材３１２、壁部３００、開閉部材ガイド部３１２ｂとの間に最初に挟まり、この遊技球４０１ａが遊技球４０１ｂの行く手を阻むことで、後続の遊技球が続々と溜まり、球詰まりが生じる。このような場合、遊技球が溜まった状態でバランスが安定してしまい、球詰まりを解除することが困難となる。
【００３２】
本実施形態では、このような球詰まりが生じた場合に、その解除を容易に行うために、壁部３００に、貫通孔３０２ａおよび第２の貫通孔３０２ｂが設けられている。遊技者が遊技を行っている通常の状態では、図２に示すように、前枠１０６が閉じられた状態である。このとき、透過板１１０と壁部３００が僅かな隙間を維持して対向している。そして、前枠１０６を開けると壁部３００に設けられた、貫通孔３０２ａおよび第２の貫通孔３０２ｂへのアクセスが可能になる。
【００３３】
例えば、図７に示すように、貫通孔３０２ａへ円柱状の球詰まり解除部材３２４を挿入して、遊技球を直接押すことによって、球詰まりが生じた状態の遊技球のバランスを崩して、球詰まりを解除することができる。なお、球詰まり解除部材３２４の形状は、例えばＬ字型等でもよく、特に限定されない。
【００３４】
図６に戻り、貫通孔３０２ａは、開閉部材３１２の前方に配置されている。これにより、貫通孔３０２ａから球詰まりが生じた状態の遊技球だけでなく、開閉部材３１２も直接押すことができるので、より効果的に球詰まりを解除することができる。
【００３５】
また、貫通孔３０２ａは、大入賞口３０８の幅方向の右側に配置されている。一方、大入賞口３０８への遊技球の入球を検出するための検出手段であるセンサ３２０ａは、大入賞口３０８の幅方向の左側に配置されている。このように、大入賞口３０８の幅方向の一端側にセンサ３２０ａ、大入賞口３０８の他端側に貫通孔３０２ａをそれぞれ配置することで、センサ３２０ａと貫通孔３０２ａとの距離を十分に離して配置することができる。そのため、球詰まりの解除を容易に行うことを可能としつつ、センサ３２０ａへの不正行為を防止することができる。
【００３６】
また、貫通孔３０２ａは、略Ｌ字形状の傾斜面３１４ｂと、略コの字形状の開閉部材ガイド部３１２ａとの間に配置されている。略Ｌ字形状の傾斜面３１４ｂと、略コの字形状の開閉部材ガイド部３１２ａとの間には、遊技球の直径よりも小さな隙間が形成されている。この隙間には、球詰まりが生じた際にも遊技球が進入しない。そのため、遊技球が貫通孔３０２ａを塞いでしまうことを防止することができるので、貫通孔３０２ａへの球詰まり解除部材３２４の挿入が妨げられることを防止することができる。
【００３７】
更に、第２の貫通孔３０２ｂは、開閉部材３１２よりも上方であって、遊技球の流下方向において、貫通孔３０２ａより上流側に配置されている。これにより、球詰まりが生じた際に、貫通孔３０２ａとは異なる位置の遊技球を直接押すことができるので、より効果的に球詰まりを解除することができる。
【００３８】
また、傾斜面３１４ａと傾斜面３１４ｂとが階段状に配置され、この傾斜面３１４ａと傾斜面３１４ｂとを接続する傾斜面３１４ｃの下端側、すなわち、傾斜面３１４ｂの右端側に第２の貫通孔３０２ｂが配置されている。このように、傾斜面３１４ｂと傾斜面３１４ｃとの接続部付近に第２の貫通孔３０２ｂを配置することで、球詰まりが生じた際にも、遊技球が第２の貫通孔３０２ｂを塞いでしまうことを防止することができるので、第２の貫通孔３０２ｂへの球詰まり解除部材３２４の挿入が妨げられることを防止することができる。
【００３９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４０】
上記実施形態では、入賞口の一例として、開閉部材３１２が遊技機１００の前後方向（正面背面方向）に出没する大入賞口３０８を用いて説明したが、本発明はこれに限定されず、開閉部材が傾倒するタイプの大入賞口にも適用可能である。更に、本発明は、所謂電チュー等、開閉部材によって開閉される入賞口にも広く適用可能である。
【００４１】
また、上記実施形態では、貫通孔３０２ａが開閉部材３１２の前方に配置され、貫通孔３０２ａは更に、センサ３２０ａとの距離を離して配置された場合を示したが、少なくとも壁部３００に貫通孔が形成されていればよく、その位置は特に限定されない。
【００４２】
また、上記実施形態では、貫通孔３０２ａおよび第２の貫通孔３０２ｂの２個の貫通孔が設けられる場合を示したが、貫通孔の個数はこれに限定されず、１個であっても、３個以上であってもよい。
【符号の説明】
【００４３】
１００  遊技機
１０８  遊技盤
１１６  遊技領域
３００  壁部
３０２ａ  貫通孔
３０２ｂ  第２の貫通孔
３０８  大入賞口
３１０  開口部
３１２  開閉部材
３２０ａ  センサ（検出手段）
【図１】
2018175259.tif 000003
【図２】
2018175259.tif 000004
【図３】
2018175259.tif 000005
【図４】
2018175259.tif 000006
【図５】
2018175259.tif 000007
【図６】
2018175259.tif 000008
【図７】
2018175259.tif 000009